(57)【特許請求の範囲】
【請求項１】
人の臀部を受けるためのシート板（２）を有するほぼ水平向きのシート（１）を備え、更に、前記シート板（２）に対してある角度で傾倒自在で、かつ前記シート板（２）に連結された少なくとも２つのレッグレスト（３、４）を備える椅子であって、前記レッグレスト（３、４）の両方は、前記レッグレスト（３、４）の下に配置され、かつ前記シート板（２）に少なくとも間接的に連結されたロッカ（２１）上に支持され、前記ロッカ（２１）は、前記レッグレストの一方（３）が下方に揺動すると、下方に揺動する前記レッグレストの一方（３）に対して前記レッグレストの他方（４）を上方に持ち上げるように作用し、前記レッグレスト（３、４）の両方は、同時に前記シート板（２）に対して角度αだけ傾倒可能であり、前記レッグレストの一方（３）は、前記角度αより大きい角度βだけ傾倒可能であり、前記ロッカ（２１）は、前記レッグレストの一方（３）が前記角度α以上に下方に揺動した場合に、前記角度α以上に下方に揺動する前記レッグレストの一方（３）に対して、前記レッグレストの他方（４）を上方に持ち上げるように作用することを特徴とする、椅子。
【請求項２】
前記椅子は、歯科医用の椅子であることを特徴とする、請求項１に記載の椅子。
【請求項３】
前記ロッカ（２１）は、回転軸受（２２；５３）を介して前記シート板（２）の主担持部材（１０）に揺動軸（１３）周りに揺動自在に軸支可能であることを特徴とする、請求項１又は２に記載の椅子。
【請求項４】
前記レッグレスト（３、４）は、ばね部材（４４、４５）のそれぞれのばね力に抗して前記シート板（２）に対して揺動可能であり、前記ロッカ（２１）は、ばね部材（２５、２６）のうちの少なくとも１つのばね力に抗して前記ロッカ（２１）を前記シート板（２）に対して揺動させることができ、前記レッグレスト（３、４）を調整するために必要な力は、前記ロッカ（２１）を調整するために必要な力よりも小さいことを特徴とする、請求項１乃至３のいずれか一項に記載の椅子。
【請求項５】
前記ロッカ（２１）は、前記レッグレスト（３、４）のうちの少なくとも１つのための支持アーム（３１、３２）を具備し、前記支持アーム（３１、３２）は、前記ロッカ（２１）に対して垂直に調整可能であることを特徴とする、請求項４に記載の椅子。
【請求項６】
前記ロッカ（２１）は、前記ロッカ（２１）をばね部材（２５、２６）のそれぞれに蝶着することができる２本のボルト（２７、２８）を備え、前記ばね部材（２５、２６）は、前記主担持部材（１０）のばね室（２３、２４）内に配置され、前記ボルト（２７、２８）は、前記ばね室（２３、２４）の開口部（２３．１、２４．１）を経て前記ばね室（２３、２４）内の前記揺動軸（１３）周りの方向に挿入可能であることを特徴とする、請求項３に記載の椅子。
【請求項７】
前記支持アーム（３１、３２）は、ジャーナル（４１）を介して枢軸（５）周りに揺動自在に前記ロッカ（２１）に連結可能であることを特徴とする、請求項５に記載の椅子。
【請求項８】
前記レッグレスト（３、４）は、ばね部材（２５、２６）のそれぞれのばね力に抗して前記シート板（２）に対して揺動可能であり、前記ロッカ（２１）の高さは、少なくとも１つのばね部材（７１）のばね力に少なくとも抗して前記シート板（２）に対して調整可能であり、前記レッグレスト（３、４）を調整するために必要な力は、前記ロッカ（２１）を調整するために必要な力よりも小さいことを特徴とする、請求項１乃至３のいずれか一項に記載の椅子。
【請求項９】
前記ロッカ（２１）は、前記揺動軸（１３）の両側でタペット（５５、５６）のそれぞれに載置可能であり、前記タペット（５５、５６）は、前記揺動軸（１３）を中心に、又は前記揺動軸（１３）と平行に揺動自在に軸支され、前記タペット（５５、５６）の前記揺動軸（１３）周りの方向に前記ばね部材（２５、２６）を介して前記シート板（２）又は前記主担持部材（１０）に対して偏倚され、かつ前記主担持部材（１０）に固定されたボルト（６１）に対して前記揺動軸（１３）の方向に当接可能であることを特徴とする、請求項３に記載の椅子。
【請求項１０】
前記ロッカ（２１）の高さは調整可能であり、前記ロッカ（２１）は、高さ調整のために垂直に延設された縦溝（５２）内の前記回転軸受（２２）を介して前記主担持部材（１０）によって支承され、前記ロッカ（２１）又は前記回転軸受（２２）は、前記ばね部材（７１）を介して前記縦溝（５２）の方向に偏倚可能であり、それによって前記レッグレスト（３、４）を同時に下げることを可能にすることを特徴とする、請求項９に記載の椅子。
【請求項１１】
前記レッグレスト（３、４）の調整は、１つ又は複数のストッパによって制限され、前記ロッカ（２１）の調整は、１つ又は複数のストッパによって制限され、前記レッグレスト（３，４）の調整用の１つ又は複数のストッパと前記ロッカ（２１）調整用のストッパとは、互いに別のものであることを特徴とする、請求項４、５、７、８、及び１０のいずれか一項に記載の椅子。
【請求項１２】
前記レッグレスト（３、４）のそれぞれは、ヒンジ（１４、１５）のうちの１つを介して２つの揺動軸（３０、４０）のうちの１つの周りに前記シート板（２）によって支承され、前記揺動軸（３０、４０）の両方に対して同軸に、又は互いに対して１３５°乃至１７９°の角度δをなして配置されることを特徴とする、請求項１乃至１１のいずれか一項に記載の椅子。
【請求項１３】
前記角度αと前記角度βとの大きさ、及び／又はばね力は手動で調整可能であることを特徴とする、請求項１又は４又は８に記載の椅子。
【請求項１４】
椅子の脚部（８）並びに台座（９）及びバックレスト（７）を更に備えることを特徴とする、請求項１乃至１３のいずれか一項に記載の椅子。
【請求項１５】
請求項１乃至１４のいずれか一項に記載の椅子のレッグレスト（３、４）の傾斜角を調整するための方法であって、前記レッグレスト（３、４）が前記シート板（２）に対して最小の傾斜角を有する基本位置「０」から始まり、以下のステップ、
ａ）前記レッグレスト（３、４）の一方又は両方に荷重がかかると、前記レッグレスト（３、４）は、前記シート板（２）に対してばね力に抗して同時に最大９°の角度αだけ中間位置「１」に傾倒するステップと、
ｂ）前記レッグレストの一方（３）に荷重がかかり、その結果、前記レッグレストの一方（３）がばね力に抗して前記角度αだけ下方に移動し、それによって、前記レッグレストの他方（４）は、前記角度αだけ下方に傾倒した前記レッグレストの一方（３）に対して上方に移動するステップと、
ｃ）前記レッグレストの一方（３）は、上方に移動した前記レッグレストの他方（４）が前記シート板（２）に対して前記基本位置「０」と同じ傾斜角を有する状態まで、最終位置「２」に達するまで下方に移動するステップと、
ｄ）前記レッグレスト（３、４）が前記最終位置「２」に達した後は、複数のストッパによって、前記レッグレストの他方（４）が更に持ち上がることが防止され、かつ前記レッグレストの一方（３）が更に降下することが防止されるステップと、
を含むことを特徴とする、方法。
【請求項１６】
前記角度αと前記角度βとの大きさ、及び／又は前記ばね力は手動で調整可能であることを特徴とする、請求項１５に記載の方法。
【発明の詳細な説明】
【技術分野】
【０００１】
本発明は、椅子に関し、特に人の臀部を受けるシート板を有するほぼ水平向きのシートを具備する歯科医用の椅子に関する。更に、シート板に連結され、シート板に対して角度αだけ傾倒可能な少なくとも２つのレッグレストが設けられている。
【０００２】
歯科医は患者の椅子の傍らでの治療中に患者との必要な近さが達成されるように、レッグレストを、ひいては大腿部を傾倒させることで、患者の椅子のバックレストが後方に大きく傾倒している場合に、少なくとも片方の大腿部を患者の椅子のバックレストの下に位置させることができる。大腿部が水平位置に対して傾倒していないと、歯科医は脚部をバックレストの下の位置に置くことができず、必要な位置に達することができないであろう。
【背景技術】
【０００３】
国際公開第０１／０００６１Ａ１号パンフレット（特許文献１）から、２つの別個の大腿部用翼部を設けた椅子が公知である。この両翼部はユーザーの大腿部の別個の担持部材であり、個々にばね付勢されることができ、このことは上記文献に明確に記載されているが、図示はされていない。
【０００４】
国際公開第９６１０９３７号パンフレット（特許文献２）から、後部と２つの前部の大腿部用翼部、及びこれらの翼部の間に配置された固定中間部から構成されたサドル型シートが公知である。大腿部用翼部はシートの全ての部分が同一面にあるニュートラル位置から、ユーザーに該当する必要性に応じてシートの両翼部と後部とが固定中間部に対して揺動する使用位置に揺動可能である。シートの一部は再び弾力的に基本位置に戻ることができ、そのために弾性反力が備えられ、ユーザーが腰の角度位置を変える際のユーザーの座位置の変化にシートが適応するようにするために、揺動自在部は弾性反力に抗して基本位置から軸を中心に揺動可能である。
【０００５】
ドイツ特許公開第１  ７７９  ７０７  Ａ号明細書（特許文献３）から、両方のレッグレスト部を互いに独立して調整可能であり、それぞれが別個の駆動機構を介して揺動自在である左右の揺動自在のレッグレスト部を有する自動車のシートが公知である。各レッグレスト部は別個の調整及びばね機構を有している。この機構は、それぞれのレッグレスト部の揺動時に前縁部が前後に移動しないように構成されている。
【０００６】
ドイツ特許第８００  ４８８  Ｃ号明細書（特許文献４）から、高さ調整用の移動可能な支柱を有する車椅子が公知である。シートの前縁部には２つの別個の脚載せ部が揺動自在に支承配置され、これらの脚載せ部は相互に交換可能であり、ばね式に、かつ関節式に調整可能である。脚載せ部は義肢を載せる役割を果たす。
【０００７】
ドイツ特許第６９３  ０６  ９３８  Ｔ２号（特許文献５）から、シートと、各々が別個の駆動部と連結され、別個の制御装置によって別個に制御可能な、シートに支承された揺動自在のロッカとを有する座席が公知である。この場合は、駆動はハンドルを手で回して行われる。別の変形実施形態では、駆動装置は空気圧ピストン又は電動モータを含むこともできる。
【先行技術文献】
【特許文献】
【０００８】
【特許文献１】国際公開第０１／０００６１Ａ１号パンフレット
【特許文献２】国際公開第９６１０９３７号パンフレット
【特許文献３】ドイツ特許公開第１  ７７９  ７０７  Ａ号明細書
【特許文献４】ドイツ特許第８００  ４８８  Ｃ号明細書
【特許文献５】ドイツ特許第６９３  ０６  ９３８  Ｔ２号
【発明の概要】
【発明が解決しようとする課題】
【０００９】
本発明は、人間工学的により適合し、レッグレストを個別に傾倒可能であり、同時に人、特に歯科医の安定した座り姿勢が達成されるように椅子を改良することを目的とする。
【課題を解決するための手段】
【００１０】
本発明によれば、椅子、特に歯科医用の椅子は、人の臀部を受けるシート板を有するほぼ水平向きのシートを具備している。椅子は更に、シート板に対してある角度で傾倒自在な、シート板に連結された少なくとも２つのレッグレストを含んでいる。両方のレッグレストは、その下に配置され、シート板と少なくとも間接的に連結されたロッカ上に支持され、ロッカは両方のレッグレストの一方が下方に揺動すると、下方に揺動するレッグレストに対して他方のレッグレストを上方に持ち上げるように作用する。
【００１１】
それによって、大腿部の位置は右又は左に人間工学的に、かつ個々に調整可能になり、それに比例して医師のレッグレストが持ち上がることによりシート板から前方に摺動することがなくなる。一方のレッグレストのある程度の傾倒は、その都度の他方のレッグレストの傾倒に左右されるので、医師にとって、患者の椅子がその下に位置する他方の大腿部が下方に大幅に傾斜している場合でも、直立するレッグレストを支持する状態が保たれる。
【００１２】
有利には、両方のレッグレストはシート板に対して角度αだけ、また、両方のレッグレストのうちの一方は角度αを超える角度βだけ傾倒可能である。ロッカは、両方のレッグレストのうちの一方が角度α以上に下方に揺動した場合に、角度α以上に下方に揺動するレッグレストに対して、他方のレッグレストを上方に持ち上げるように作用する。その利点は、ロッカを介して比例した平衡がなされる前に、先ず両方のレッグレストをある程度、すなわち角度αだけ下方に傾倒させることができることである。その際に有利には、持ち上げられるレッグレストがシート板を超えて持ち上げられることがないようにされる。それは、角度βが角度αとほぼ同じ角度になるようにストッパを調整することによって達成される。
【００１３】
有利には、回転軸受を介してロッカをシート板の主担持部材に揺動軸を中心に揺動自在に軸支可能である。その際、少なくとも１つのばね部材のばね力に抗してロッカをシート板に対して揺動させることができ、レッグレストを調整するために必要な力はロッカを調整するために必要な力よりも小さい。
【００１４】
有利には、ロッカはその都度少なくとも１つのレッグレスト用の支持アームを具備することができ、ロッカに対する支持アームの高さを、特にばね力に抗して調整可能である。
【００１５】
有利には、ロッカは、これをそれぞれのばね部材に蝶着可能な２本のボルトを具備しており、ばね部材を主担体のばね室内に配置可能であり、ボルトをばね室の開口部を経てばね室内の揺動軸周りの方向に挿入可能である。
【００１６】
有利には、ボルトを介して支持アームをロッカに揺動軸を中心に揺動自在に軸支可能である。
【００１７】
有利には、両方のレッグレストをそれぞればね部材のばね力に抗してシート板に対して揺動可能である。その際、ロッカの高さを少なくとも１つのばね部材のばね力に少なくとも抗してシート板に対して調整可能であり、レッグレストの調整に必要な力はロッカの調整に必要な力よりも小さくてよい。
【００１８】
有利には、ロッカは揺動軸の両側でそれぞれ１つのタペット上に載置されることができ、タペットは揺動軸を中心に、又は揺動軸と平行に揺動自在に軸支されることができる。  更に、タペットはその揺動軸周りの方向にばね部材を介してシート板又は主担持部材に対して偏倚され、主担持部材に固定されたボルトに対して揺動軸方向に当接可能である。
【００１９】
有利には、ロッカの高さを調整可能であり、ロッカは高さ調整のために垂直に延設された縦溝内の回転軸受を介して主担持部材に支承されることができる。その際、ロッカ又は回転軸受はばね部材を介して縦溝の方向に偏倚されることができ、それによって両方のレッグレストを同時に下げることが可能になる。
【００２０】
有利には、レッグレストの調整を１つ又は複数のストッパによって制限することができる。更にロッカの調整も１つ又は複数のストッパによって制限することができ、レッグレスト調整用の１つ又は複数のストッパとロッカ調整用のストッパとは別のものである。
【００２１】
有利には、ヒンジを介して揺動軸を中心にそれぞれのレッグレストをシート板にそれぞれ支承することができる。その際、両方の揺動軸を同軸に、又は１３５°から１７９°の、特に１６０°から１６４°の角度δをなして配置することができる。角度をなして配置することによって、人間工学的により良好に大腿部に適合させることができる。特に、大腿部を患者用椅子の下のより良好な位置に置くことが達成される。
【００２２】
更に有利には、角度αと角度βに大きさ、及び／又はばね力を手動調整可能である。
椅子の両方のレッグレストの傾斜角の調整は、前述のとおりである。両方のレッグレストがシート板に対して最小の傾斜角をなす基本位置「０」から始まり、手順には以下のステップがある。
【００２３】
荷重がかかると一方又は両方のレッグレストはばね力に抗してシート板に対して最大９°の角度αだけ中間位置「１」に同時に傾倒する。それによって、医師は上体全体を患者に向かって前方に乗り出すことができる。
【００２４】
両方のレッグレストの一方に更に荷重がかかり、その結果、レッグレストがばね力に抗して角度α以上に下方に移動すると、他方のレッグレストは角度α以上に下方に傾倒したレッグレストに対して上方に移動する。医師は大腿部がバックレストの下にくるようにレッグレストを傾け、他方の大腿部を上方に移動したレッグレストで支える。
【００２５】
一方のレッグレストは、上方に移動した他方のレッグレストがシート板に対して基本位置「０」と同じ傾斜角を有する状態まで、最終位置「２」に達するまで下方に移動する。それによって、大腿部が上方に過度に伸張することが避けられる。
【発明の効果】
【００２６】
レッグレストが最終位置「２」に達すると、複数のストッパによって一方のレッグレストが更に持ち上がること、及び他方のレッグレストが更に下がることが防止される。この最終位置「２」は安定した位置であり、両方のレッグレストを医師が自ら安定させる必要がない。
【００２７】
本発明による椅子を図面を参照して説明する。
【図面の簡単な説明】
【００２８】
【図１】歯科医用椅子の多部品からなるシートを示す図である。
【図２】主担持部材と担持装置とを有する図２のシートの下面図である。
【図３】ロッカを有する図２の担持装置を示す図である。
【図４Ａ】主担持部材に対するロッカの基本位置を示す図である。
【図４Ｂ】主担持部材に対して傾斜したロッカの位置を示す図である。
【図５】図３のＡＡ線に沿った断面図である。
【図６】レッグレストの支持部材を有する主担持部材に取り付けられたシート板の側面図である。
【図７Ａ】本発明の別の実施例の側面図である。
【図７Ｂ】図７Ａの別の実施形態の前面図である。
【図８Ａ】第１の中間位置「１」の側面図である。
【図８Ｂ】第１の中間位置「１」の前面図である。
【図９Ａ】最終位置「２」の側面図である。
【図９Ｂ】最終位置「２」の前面図である。
【図１０】この実施例でばね部材を介して主担持部材に懸装されたロッカの詳細図である。
【図１１】図２の実施例の詳細図である。
【図１２】レッグレスト用の角度をなす揺動軸の上面図である。
【発明を実施するための形態】
【００２９】
図１には、歯科医用椅子の多部品からなるシート１が示されており、シート１は臀部を支え、かつ脚部を支えるための後部シート板２を具備し、後部シート板２は、シート１に対してほぼ横方向に延在する揺動軸３０、４０を中心にシート板２に対してそれぞれ傾倒可能なレッグレストは３、４を有している。両方の揺動軸３０、４０は図１及び２に示すこの実施例では平行に配置することができる。図１２に示す実施例では、両方の揺動軸３０、４０は１６２°の角度δをなしている。
【００３０】
椅子は更に背中を支えるためのバックレスト７を備えることができ、椅子の中心脚８によって台座９と連結されている。椅子の脚８はシート板２の下の点線で示した主担持部材１０に固定され、主担持部材１０には後に詳述するレッグレスト３、４用の担持装置１１も固定されている。領域６によって互いに離隔可能な２つのレッグレスト３、４が図示されている。レッグレスト３、４はシート板２の前縁部に配置されている。
【００３１】
図２に示すシート板２の下面図には、シート板２が固定され、図１に示す中央に配置された椅子脚８の固定具１２を備えた主担持部材１０が示されている。
【００３２】
この図から、シート板２の前側に配置されたレッグレスト３、４が担持装置１１によって主担持部材１０に支承され、担持装置１１はレッグレスト３と４との間の領域の下に延在する揺動軸１３を中心に矢印１３．１で示すように揺動可能であることが分かる。
【００３３】
担持装置１１の第１の実施例は、主担持部材１０と共に図３から図６に詳細に示されている。主担持部材を始点にした担持装置１１の中心部としてのロッカ２１はねじ２２として形成された回転軸受を介して揺動軸１３を中心に回動自在に主担持部材に連結され、主担体持体１０内にはばね部材２５、２６を有するばね室２３、２４が設けられ、これらのばね部材は、組み立てた状態ではばね室２３、２４内に突出する、ロッカ２１内に配置された突出したボルト２７、２８と協働する。これについては後に詳述する。
【００３４】
ロッカ２１の両端にはロッカ２１の縦軸５に対して回動自在に配置された支持アーム３１、３２が設けられ、これらの支持アームもばね力に抗して図示した基本位置から縦軸５を中心に矢印３３の方向に下方に傾倒可能である。
【００３５】
図４Ａには、主担持部材１０に対するロッカ２１の基本位置、すなわち、レッグレスト３、４に下方への力が加わらない位置が示されている。この基本位置では、ロッカ２１は主担持部材と平行なほぼ水平方向にあり、ロッカ２１に関連するボルト２７、２８は、ロッカ２１の揺動軸の左右の両方のばね室２３、２４内の垂直方向から見て同じ深さ位置でばね付勢されたばね部材２５、２６に当接する。両方のばね室２３、２４にはボルト２７、２８を挿入するためのばね室開口部２３．１、２．１が設けられている。
【００３６】
図４Ｂには、主担持部材１０に対して傾倒位置にあるロッカ２１が示されており、ロッカ２１の左側はユーザーから見て右側のレッグレスト３（図１）への荷重によって下方に傾倒し、それに応じてユーザーから見て左側のレッグレスト４（図１）は上方に傾倒する。図示した位置では、ばね室２３の外側の左側のボルト２７、及び右側のボルト２８はばね部材２６のばね力に抗してばね室２４の内側に押し込まれる。揺動軸１３周りの方向でのロッカ２１の機械的止めは、ロッカ２１の揺動方向に応じて係合し、それぞれのばね部材４４、４５及びそれぞれのばね室２３、２４を押圧し、またはこれらに当接するボルト２７、２８によって達成される。
【００３７】
ロッカを基本位置から傾倒位置にばね力で移動し、元に戻す図示したばね原理は勿論、当業者の知識の範囲内で、例えば揺動軸１３と同軸に配置された単一の回転ばねを使用することによって変更することができる。
【００３８】
図５には、ロッカ２１に対する支持アーム３１のほぼ垂直方向への撓みを補足的に説明するために図３のＡＡ線に沿った断面図が示されている。支持アーム３１はジャーナル４１を介して枢軸５を中心に回動自在にロッカ２１と連結され、支持アーム３１内に配置された固定ボルト４２がロッカ２１の端部のばね室４３に係合する。ボルト４２は、ばね室４３内に配置されたばね部材４４のばね力に抗して支持アーム３１がジャーナル４１を中心に揺動するようにばね部材４４に作用する。枢軸５周りの方向で支持アーム３１の機械的止めは、ばね部材４４、及びばね室４３を押圧し、またはこれらに当接するジャーナルによって達成される。支持アーム３２のストッパもこれに対応する機能を果たすが、ばね室及びボルトは図示されていない。
【００３９】
このばね室４３内に配置されたばね部材４４のばね力は、ロッカ２１の対向端部に配置された支持アーム３２のばね部材４５（図示せず）のばね力にほぼ対応しており、このばね力は主担持部材１０のばね室２３、２４内のばね部材２５、２６のばね力よりも明らかに小さい。このことは、レッグレスト３、４（図１）の荷重、ひいては支持アーム３１、３２の荷重は先ず、ロッカ２１のばね室４３内に格納されている両方のばね部材４４を撓ませるので、両方のレッグレスト３、４がシート板２のほぼ水平位置（図７Ａ、７Ｂ）から始まって、それぞれ互いに別個に角度α（図８Ａ、８Ｂ）だけ下方に大幅に傾倒可能であることを意味している。その後、支持アーム３１、３２は図５を参照して記載のように当接する。角度αは全ての実施例で最大９°、特に２°から５°の間である。
【００４０】
主担持部材１０に取り付けられたばね室２３、２４のばね部材２５、２６のばね付勢に対応する力に達した後で初めて、両方のレッグレスト３、４に更に荷重がかかると、ロッカ２１は主担持部材１０のばね室内に配置された両方のばね部材２５、２６のばね力に抗して揺動軸１３を中心に揺動可能である。
【００４１】
図６に示された側面図では、主担持部材１０に取り付けられたシート板２と、回転軸受２２を介して連結されたロッカ２１との相互作用、並びにこれに付随する支持アーム３１、３２によるレッグレスト３、３の支持状態が説明されている。レッグレスト３、４はヒンジ１４、１５を支点にして揺動軸３０、４０を中心に揺動し（図２）、同時にロッカ２１の縦軸５を中心に傾倒する。レッグレスト３、４は軸受１６、１７を介して支持アーム３１、３２上に支承されている。軸受１６、１７によってレッグレスト３、４と支持アーム３１、３２又はロッカ２１との相対運動が可能である。
【００４２】
図７Ａから図１１には担持装置１１の別の実施例が示されている。
【００４３】
図７Ａから９Ａは側面図を、又、図７Ｂから９Ｂは前面図を示している。図７Ｂでは、レスト３、４はヒンジ１４、１５を介して主担持部材１０、又はシート板２と連結され、水平に面一に位置合わせされた基本位置「０」で示されている。一方又は両方のレッグレスト３、４に最初に荷重がかかると、両方のレッグレスト３、４は基本位置「０」から角度αだけ図８Ａ及び８Ｂに示した第１の中間位置「１」に均一に傾斜し、この場合、角度αは好ましくは３°である。それぞれのレッグレスト（３、４）はヒンジ１４、１５の揺動軸３０、４０を中心に傾斜する。
【００４４】
両方のレッグレスト３、４の一方、この場合はレッグレスト３に更に荷重をかけて初めてロッカ２１が作動し、その結果、一方のレッグレスト３が角度βだけ持ち上がり、他方のレッグレスト４が同じ角度βだけ下がる。レッグレスト３がシート板２に対して角度βだけ傾斜すると、最終位置「２」になる。この位置「２」では持ち上がったレッグレスト４は図９Ａ及び９Ｂに示すように、シート板２を越えてそれ以上持ち上がらない。
【００４５】
したがって、ロッカ２１のこの揺動によって一方のレッグレスト３が角度αを超える角度β（図９Ａ、９Ｂ）だけ降下すると、他方のレッグレスト４は同時に持ち上がる。その際、持ち上がったレッグレスト４がシート板２の傾きを超えて立ち上がることは決してなく、したがってレッグレスト４がシート板２を超えて立ち上がることが防止されるような幾何的な状態を構成することができる。レッグレスト４は、図７Ｂに示す基本位置「０」と同じ平面上で図９Ｂに示す最終位置「２」にある。そこで角度αは角度βと同じ角度である。
【００４６】
図１０に詳細に示すように、この実施例ではロッカ２１はばね部材２５、２６及びそれぞれのボルト６２、６３を介して主担持部材１０に直に懸架される。ロッカ２１の垂直移動は荷重によって制限されるが、そのために主担持部材１０には縦ストッパ５１が設けられ、ロッカ２１の端部に支承されたレッグレスト３、４に荷重がかかった後は、ロッカ２１はこの縦ストッパ上に載置される。この位置で、レッグレスト３に荷重がかかり、これに連動してレッグレスト３が降下すると、他方のレッグレスト４は図９Ｂに示すように持ち上がる。
【００４７】
ストッパ５１内のロッカ２１が所定の位置を占め、その位置を保つことを確実にするため、ロッカ２１が水平面内の縦溝５２内に案内されることが有利であることが明らかになっている。そのために、回転軸受として構成され、縦溝５２に案内されるボルト５３が備えられている。そこでロッカ２１は、止め位置に達した場合でもボルト５３を通って延びる軸１３を中心に回動可能である。
【００４８】
更に、ばね部材２５、２６が互いに独立して移動可能な２つのタペット５５、５６に作用し、これらのタペットは両方ともロッカ２１の揺動軸１３にてボルト５３を介してロッカと連結され、この揺動軸１３を中心に揺動自在であることが有利であることが明らかになっている。そこで、ロッカを下方から支持する軸受座５７、５８が設けられている。
【００４９】
その際、ばね付勢された両方のタペット５５、５６はロッカ２１の平衡を保ち、ロッカ２１が傾倒すると、各々のタペット５５、５６は独立して固定ボルト６０を介してそれぞれ連結されたばね部材２５、２６を引っ張る。これはストッパ５１と相互作用する主担持部材１０のボルト６１によって引き起こされる。ボルト６１は、ばね部材２５、２６によって上方に引っ張られる両方のタペット５５、５６が基本位置に保たれるように作用する。
【００５０】
ロッカ２１とタペット５５、５６とからなるユニット全体がボルト５３によって主担持部材１０に支承されている。このシステムによって、荷重がかかった場合に、このユニットがないと両方の引っ張りばね２５、２６の作用が相殺されることが防止され、ロッカ２１の水平な位置が確保される。
【００５１】
この場合は、ロッカの揺動機能は、ロッカ２１又はボルト５３がストッパ５１上に着座し、かつ片側の力がロッカ２１にかかって初めて達成可能である。
【００５２】
レッグレストが別個の降下する原理全体は、片側だけにできるだけ大幅な降下が達成され、反対側が対応する比率で持ち上がることがないことに拠るものである。すなわち本発明により、そのつどの反対側は最初なされた降下の程度だけ低くなるので、別の脚部が過度に持ち上げられることはない。
【００５３】
図１１には、図１０の実施例のストッパ５１の領域の詳細な側面図が示されている。
【００５４】
主担持部材１０に固定されたストッパ５１内には担持装置１１が側面図で示されている。ボルト５３にて軸１３を中心に回動自在にストッパ５１の縦溝５２内に案内され、支承されているロッカ２１が示されている。ロッカ２１の下面はローラの形態の軸受座５８上に支持され、この軸受座はこれもボルト５３に支承されているタペット５６とも連結されている。一方、タペット５６は、ボルト６０及びばね部材２６を介して主担持部材１０にばね支承されているので、ボルト５３の軸１３が縦溝５２内をばね部材２６のばね力に抗して下方に移動すると必然的に作動される。
【００５５】
図示した位置では、タペット５６は主担持部材１０に連結されたボルト６１に当接している。ロッカ２１の片側だけに荷重がかかると、ボルト６１に支承されたタペット５６のこの長さによって、ロッカ２１とタペット５６の共通の揺動軸１３が縦溝５２内で縦溝５２の端部で形成されているストッパに達するまで下方に押圧される。ロッカ２１の回動軸が降下することによって、荷重がかかっていないロッカ２１の端部が上方に持ち上がり過ぎるようにされる。
【００５６】
勿論、レッグレスト３、４に力が作用した場合にボルト５３の揺動軸１３の降下を促進するために、例えば図７Ｂに示した圧縮ばね７１などの補足的なばね部材を備えることも可能であり、このばね部材７１のばね力はタペット５５、５６に作用するばね部材２５、２６のばね力よりも常に小さくなければならない。それによって、個々のばね部材７１；２５、２６の段階的な相互作用が可能になる。すなわち、最初に力が加わると、揺同軸１３は縦溝５２内の調整用ストッパに達するまでばね部材７１の力に抗して降下し、引き続き第２の力で片側に荷重がかかると、荷重がかかるばね部材２５のばね力に抗して、荷重がかかる方のロッカ２１の端部が降下し、荷重がかからない方のロッカ２１の端部がロッカ２１の調整用の別のストッパまで持ち上がる。ロッカ２１のストッパは垂直ストッパ５１によって形成されている。
【符号の説明】
【００５７】
１  シート
２  シート板
３  レッグレスト
４  レッグレスト
５  縦軸
６  領域
７  バックレスト
８  椅子の脚部
９  台座
１０  主担持部材
１１  担持装置
１２  固定具
１３  揺同軸、回動軸
１３．１  矢印
１４  ヒンジ
１５  ヒンジ
１６  軸受
１７  軸受
２１  ロッカ
２２  回転軸受、ねじ
２３  ばね室
２３．１  ばね室開口部
２４  ばね室
２４．１  ばね室開口部
２５  ばね部材、引っ張りばね
２６  ばね部材、引っ張りばね
２７  ボルト
２８  ボルト
３０  揺動軸
３１  支持アーム
３２  支持アーム
３３  矢印
４０  揺動軸
４１  ジャーナル
４２  ボルト
４３  ばね室
４５  ばね部材
５１  垂直ストッパ
５２  縦溝
５３  回転軸受、ボルト
５５  タペット
５６  タペット
５８  軸受
６０  固定ボルト
６１  ボルト
６２  ボルト
６３  ボルト
７１  ばね部材
α  角度
β  角度
δ  角度
【図１】
0005654871.tif 000002
【図２】
0005654871.tif 000003
【図３】
0005654871.tif 000004
【図４ａ】
0005654871.tif 000005
【図４ｂ】
0005654871.tif 000006
【図５】
0005654871.tif 000007
【図６】
0005654871.tif 000008
【図７ａ】
0005654871.tif 000009
【図７ｂ】
0005654871.tif 000010
【図８ａ】
0005654871.tif 000011
【図８ｂ】
0005654871.tif 000012
【図９ａ】
0005654871.tif 000013
【図９ｂ】
0005654871.tif 000014
【図１０】
0005654871.tif 000015
【図１１】
0005654871.tif 000016
【図１２】
0005654871.tif 000017